(57)【要約】【課題】記録特性の劣化を回避すると共にセクタの冗長部分の削減等を実現する。【解決手段】各々のセクタ毎に、プリピットされたヘッダと、プリピットされたヘッダの後に設けられるギャップエリアと、ギャップエリアの後に設けられる、長さを可変にした第１のエリアGuard1と、第１のエリアGuard1の後に設けられるＶＦＯエリアと、ＶＦＯエリアの後に設けられるデータエリアと、データエリアの後に設けられる、前端位置を第１のエリアGuard1の長さの変化と対応して変化させた可変の長さを有する第２のエリアGuard2とを設ける。繰り返しオーバーライトを行う際には、第１のエリアGuard1の後端位置と第２のエリアGuard2の前端位置とを共に同じ距離移動させることにより、セクタ内におけるデータエリアが全体として移動するように構成する。【選択図】図３
2010108597.tif 000002
【特許請求の範囲】
【請求項１】
データエリアを有する記録・再生単位であるセクタ構成の書き換え可能な光学的記録媒体において、
各々の前記セクタ毎に、
プリピットされたヘッダと、
前記プリピットされたヘッダの後に設けられるギャップエリアと、
前記ギャップエリアの後に設けられる、長さを可変にした第１のエリアと、
前記第１のエリアの後に設けられるＶＦＯエリアと、
前記ＶＦＯエリアの後に設けられるデータエリアと、
前記データエリアの後に設けられる、前端位置を前記第１のエリアの長さの変化と対応して変化させた可変の長さを有する第２のエリアとを含み、
前記第１のエリアの後端位置と前記第２のエリアの前端位置とを共に同じ距離移動させることにより、前記セクタ内における前記データエリアが全体として移動するようにした
光学的記録媒体。
【請求項２】
データエリアを有する記録・再生単位であるセクタ構成の書き換え可能な光学的記録媒体の記録方法において、
各々の前記セクタ毎に、
プリピットされたヘッダと、
前記プリピットされたヘッダの後に設けられるギャップエリアと、
前記ギャップエリアの後に設けられる、長さを可変にした第１のエリアと、
前記第１のエリアの後に設けられるＶＦＯエリアと、
前記ＶＦＯエリアの後に設けられるデータエリアと、
前記データエリアの後に設けられる、前端位置を前記第１のエリアの長さの変化と対応して変化させた可変の長さを有する第２のエリアとを含め、
前記第１のエリアにおいて記録用レーザーのパワーを調整し、
異なる記録時において、前記第１のエリアの後端位置と前記第２のエリアの前端位置とを同じ向きに同じ距離移動させることにより、前記セクタ内における前記データエリアを全体として移動させるようにした
光学的記録媒体の記録方法。
【請求項３】
請求項２に記載の光学的記録媒体の記録方法において、
所定回数記録を行う毎に、一定距離ずつ、前記第１のエリアの後端位置と前記第２のエリアの前端位置とを移動させるようにした
光学的記録媒体の記録方法。
【請求項４】
データエリアにユーザーデータを有する記録・再生単位であるセクタ構成の書き換え可能な光学的記録媒体に対して記録を行う記録装置において、
前記光学的記録媒体には、各々の前記セクタ毎に、プリピットされたヘッダが設けられており、
前記プリピットされたヘッダの後に設けられるギャップエリアの後の第１のエリアの長さを可変にし、
前記第１のエリアの後のＶＦＯエリアに対して記録し、
前記ＶＦＯエリアの後のデータエリアに対して前記ユーザーデータを記録する記録手段を有し、
前記記録手段は、前記可変にした第１のエリアの長さと対応して前記データエリアの後の第２のエリアの長さを可変し、異なる記録時において、前記第１のエリアの後端位置と前記第２のエリアの前端位置とを同じ向きに同じ距離移動させることにより、前記セクタ内における前記データエリアを全体として移動させるようにして記録する
記録装置。
【発明の詳細な説明】
【技術分野】
【０００１】
本発明は、相変化形光学的記録媒体、その記録方法及び記録装置に関し、特に、記録特性の向上を図ると共にセクタの冗長部分の削減等を図ったものに関する。
【背景技術】
【０００２】
ユーザーが直接データの書き換えを行える書換型光学的記録媒体の一種に、相変化形光学的記録媒体がある。周知の通り、相変化形光学的記録媒体は、結晶状態と非結晶状態との間で可逆的な相変化を行う材料を記録材料として用いるものであり、例えばデータの記録は、結晶状態にある記録材料を強いパワーのレーザーで急激に溶融・急冷して非結晶化することによって行い、記録データの消去は、記録時よりも弱いパワーのレーザーで記録材料を緩やかに加熱冷却して再結晶化することによって行い、記録データの再生は、結晶状態と非結晶状態とでの反射率の差を利用して行う。そして、レーザーのパワーを消去時のパワーと記録時のパワーとの間で変調することにより、既存の記録データを消去しつつ新たなデータを記録すること、即ち書き換え（オーバーライト）を行うことができる。
【０００３】
ところで、相変化形光学的記録媒体には、次のような欠点が存在することが知られている。
（ａ）オーバーライトの回数が多くなると、セクタ内のデータ記録領域中で実際にユーザーデータ（及びそれに付加した誤り訂正符号）を記録されるエリアであるデータエリアのうちの記録開始位置及び記録終了位置の記録材料の膜厚が不均一になるので、これらの位置において、記録材料の熱特性の変化によりデータを記録できなくなったり、反射率の変動により記録データを正確に再生できなくなったりするという記録特性の劣化が生じる。
【０００４】
（ｂ）同一パターンのデータを繰り返し記録するオーバーライト（繰り返しオーバーライトと呼ぶことにする）を行うと、データエリアの同一位置に同一のデータが繰り返し記録されることにより、やはり記録特性の劣化が生じる。その結果、繰り返しオーバーライトをあまり多くの回数行うことができない。
【０００５】
従来、上記（ａ）の欠点を解消するためには、例えば記録開始位置であるデータエリアの前端付近と記録終了位置であるデータエリアの後端付近とを真のユーザーデータを記録するエリアとしては用いず、再生時にはこのデータエリアの前端付近及び後端付近以外の部分からユーザーデータを再生するようにしていた。
【０００６】
また、上記（ｂ）の欠点を解消するためには、例えばデータエリア内で記録開始位置を（従って記録終了位置も）記録時毎に変化させることにより、データエリア内で同一のデータが記録される位置を記録時毎に変化させるようにしていた。
【発明の概要】
【発明が解決しようとする課題】
【０００７】
しかし、このようにデータエリア内で記録開始位置及び記録終了位置を真のユーザーデータを記録するエリアとして用いないと共にこの記録開始位置及び記録終了位置を記録時毎に変化させるようにした場合には、データエリアを、一定バイトのユーザーデータを記録するために本来必要な大きさよりもかなり大きく設定しなければならない。その結果、データエリアが冗長になってしまう（従ってセクタ全体が冗長になってしまう）という問題があった。
【０００８】
この他にも、従来の相変化形光学的記録媒体では、他の光学的記録媒体と同様に、セクタ内のプリフォーマット領域（セクタのアドレス等が予め記録された領域）に、記録用レーザーのパワーを調整するためのＡＬＰＣ（Ａｕｔｏ Ｌａｓｅｒ Ｐｏｗｅｒ Ｃｏｎｔｒｏｌ）エリアを設けるようにしている。そして、例えば高速転送レートで記録を行う場合には、記録用レーザーのパワーを十分に高めるために、このＡＬＰＣエリアをかなり大きく設定しなければならない（さもなければ、相変化形光学的記録媒体の記録装置内に記録用レーザーのパワーを高めるための特別なハードウェアを設けなければならない）。その結果、プリフォーマット領域が冗長になってしまう（従ってこの点からもセクタ全体が冗長になってしまう）か、あるいは記録装置の回路構成が複雑化・大型化してしまうという問題があった。
【０００９】
この発明は上述の点に鑑みてなされたもので、記録特性の劣化を回避すると共にセクタ全体の冗長部分の削減等を実現した相変化形光学的記録媒体、その記録方法及び記録装置を提供しようとするものである。
【課題を解決するための手段】
【００１０】
本発明に係る光学的記録媒体は、データエリアを有する記録・再生単位であるセクタ構成の書き換え可能な光学的記録媒体において、各セクタ毎に、プリピットされたヘッダと、このプリピットされたヘッダの後に設けられるギャップエリアと、このギャップエリアの後に設けられる、長さを可変にした第１のエリアと、この第1のエリアの後に設けられるＶＦＯエリアと、このＶＦＯエリアの後に設けられるデータエリアと、データエリアの後に設けられる、前端位置をこの第１のエリアの長さの変化と対応して変化させた可変の長さを有する第２のエリアとを含み、この第１のエリアの後端位置とこの第２のエリアの前端位置とを共に同じ距離移動させることにより、セクタ内におけるこのデータエリアが全体として移動するようにしたことを特徴としている。
【００１１】
この光学的記録媒体は、データエリアを有する記録・再生単位である各セクタ毎に、プリピットされたヘッダと、このプリピットされたヘッダの後に設けられるギャップエリアと、このギャップエリアの後に設けられる、長さを可変にした第１のエリアと、この第1のエリアの後に設けられるＶＦＯエリアと、このＶＦＯエリアの後に設けられるデータエリアと、データエリアの後に設けられる、前端位置を第１のエリアの長さの変化と対応して変化させた可変の長さを有する第２のエリアとを含めた構造をしている。
【００１２】
こうしたセクタ構造の光学的記録媒体に対して繰り返しオーバーライトを行う際に、異なる記録時において（例えば記録時毎でもよく、あるいは適宜の回数記録を行う毎にでもよい）第１のエリアの後端位置と第２のエリアの前端位置とを同じ向きに同じ距離移動させるようにすれば、セクタ内におけるデータエリアが全体として移動する。従って、データエリア内で同一のデータが記録される位置がこれらの異なる記録時において変化するので、繰り返しオーバーライトによる記録特性の劣化が回避されるようになる。
【００１３】
また、このようにデータエリア全体を移動させることにより繰り返しオーバーライトによる記録特性の劣化を回避するようにした場合には、従来のようにデータエリア内で記録開始位置及び記録終了位置を変化させることにより繰り返しオーバーライトによる記録特性の劣化を回避する場合と比較して、データエリアそのものを大きく設定する必要がない。従って、データエリアの冗長部分が削減される。
【００１４】
また、この光学的記録媒体では、この第１のエリアが記録用レーザーのパワーの調整用に用いられるようにしてもよい。このようにした場合、従来のようにプリフォーマット領域であるヘッダにＡＬＰＣエリアを設けなくても記録用レーザーのパワーの調整が可能になるので、ＡＬＰＣエリアの設置を省略することによりヘッダの冗長部分が削減される。
【００１５】
また、ギャップエリアを挟んでヘッダよりも後の領域にはもともと繰り返しオーバーライトの特性を改善するためのエリア（ガードエリア）を設けることが必要であるが、第１，第２のエリアをこのガードエリアに兼用することができるので、第１，第２のエリアの存在によってヘッダよりも後の領域が従来よりも冗長になることはない。
【００１６】
このように、データエリア，ヘッダの冗長部分が削減され、且つ、第１，第２のエリアの存在によってヘッダよりも後の領域が冗長になることがないので、セクタ全体の冗長部分の削減が実現される。
【００１７】
そして、プリフォーマット領域であるヘッダ内のエリアではなく、ギャップエリアを挟んでヘッダよりも後の領域内においてデータエリアの前方に存在する第１のエリアを記録用レーザーのパワーの調整用に用いるようにした場合には、データエリアへの記録時と同じ条件で（例えばデータエリアと同じくランド及びグルーブから成るエリアで）記録用レーザーのパワーが調整されると共に、調整したそのままのパワーで即座にデータエリアに記録が行われるようになる。これにより、従来よりも一層適切なパワーでデータの記録や書き換えが行われるようになる。
【００１８】
尚、逆に従来通りプリフォーマット領域にＡＬＰＣエリアを設けるようにした場合には、ＡＬＰＣエリアと第１のエリアとの両方のエリアで記録用レーザーのパワーを調整することができる（記録用レーザーのパワーの調整用のエリアとして従来よりも長いエリアが確保される）ようになるので、相変化形光学的記録媒体の記録装置内に記録用レーザーのパワーを高めるための特別なハードウェアを設けなくても、記録用レーザーのパワーを十分に高めることができるようになる。従って、この場合には記録装置の回路構成の簡素化・小型化が実現される。
【００１９】
次に、本発明に係る光学的記録媒体の記録方法は、データエリアを有する記録・再生単位であるセクタ構成の書き換え可能な光学的記録媒体の記録方法において、各セクタ毎に、プリピットされたヘッダと、このプリピットされたヘッダの後に設けられるギャップエリアと、このギャップエリアの後に設けられる、長さを可変にした第１のエリアと、この第1のエリアの後に設けられるＶＦＯエリアと、このＶＦＯエリアの後に設けられるデータエリアと、データエリアの後に設けられる、前端位置をこの第１のエリアの長さの変化と対応して変化させた可変の長さを有する第２のエリアとを含め、第１のエリアにおいて記録用レーザーのパワーを調整し、異なる記録時において、第１のエリアの後端位置と第２のエリアの前端位置とを同じ向きに同じ距離移動させることにより、セクタ内におけるデータエリアを全体として移動させるようにしたことを特徴としている。
また、本発明に係る光学的記録媒体の記録装置は、データエリアにユーザーデータを有する記録・再生単位であるセクタ構成の書き換え可能な光学的記録媒体に対して記録を行う記録装置において、この光学的記録媒体には、各々のセクタ毎に、プリピットされたヘッダが設けられており、プリピットされたヘッダの後に設けられるギャップエリアの後の第１のエリアの長さを可変にし、この第１のエリアの後のＶＦＯエリアに対して記録し、このＶＦＯエリアの後のデータエリアに対してユーザーデータを記録する記録手段を有し、この記録手段は、可変にした第１のエリアの長さと対応してデータエリアの後の第２のエリアの長さを可変し、異なる記録時において、第１のエリアの後端位置と第２のエリアの前端位置とを同じ向きに同じ距離移動させることにより、セクタ内におけるデータエリアを全体として移動させるようにして記録することを特徴とする。
【００２０】
この光学的記録媒体の記録方法及び記録装置では、データエリアを有する記録・再生単位である各セクタ毎に、プリピットされたヘッダと、このプリピットされたヘッダの後に設けられるギャップエリアと、このギャップエリアの後に設けられる、長さを可変にした第１のエリアと、この第1のエリアの後に設けられるＶＦＯエリアと、このＶＦＯエリアの後に設けられるデータエリアと、データエリアの後に設けられる、前端位置を第１のエリアの長さの変化と対応して変化させた可変の長さを有する第２のエリアとを含め、異なる記録時において（例えば記録時毎でもよく、あるいは適宜の回数記録を行う毎にでもよい）、第１のエリアの後端位置と第２のエリアの前端位置とを同じ向きに同じ距離移動させることにより、セクタ内におけるデータエリアを全体として移動するようにしている。従って、データエリア内で同一のデータが記録される位置がこれらの異なる記録時において変化するので、繰り返しオーバーライトによる記録特性の劣化が回避されるようになる。
【００２１】
また、このようにデータエリア全体を移動させることにより繰り返しオーバーライトによる記録特性の劣化を回避するようにしているので、従来のようにデータエリア内で記録開始位置及び記録終了位置を変化させることにより繰り返しオーバーライトによる記録特性の劣化を回避する場合と比較して、データエリアそのものを大きく設定する必要がない。従って、データエリアの冗長部分が削減される。
【００２２】
また、この記録方法及び記録装置では、この第１のエリアを記録用レーザーのパワーの調整用に用いるようにしてもよい。このようにした場合、従来のようにプリフォーマット領域であるヘッダにＡＬＰＣエリアを設けなくても記録用レーザーのパワーの調整が可能になるので、ＡＬＰＣエリアの設置を省略することによりヘッダの冗長部分が削減される。
【００２３】
また、ギャップエリアを挟んでヘッダよりも後の領域にはもともと繰り返しオーバーライトの特性を改善するためのガードエリアを設けることが必要であるが、第１，第２のエリアをこのガードエリアに兼用することができるので、第１，第２のエリアの存在によってヘッダよりも後の領域が従来よりも冗長になることはない。
【００２４】
このように、データエリア，ヘッダの冗長部分が削減され、且つ、第１，第２のエリアの存在によってヘッダよりも後の領域が冗長になることがないので、セクタ全体の冗長部分の削減が実現される。
【００２５】
そして、プリフォーマット領域であるヘッダ内のエリアではなく、ギャップエリアを挟んでヘッダよりも後の領域内においてデータエリアの前方に存在する第１のエリアを記録用レーザーのパワーの調整用に用いるようにした場合には、データエリアへの記録時と同じ条件で（例えばデータエリアと同じくランド及びグルーブから成るエリアで）記録用レーザーのパワーが調整されると共に、調整したそのままのパワーで即座にデータエリアに記録が行われるようになる。これにより、従来よりも一層適切なパワーでデータの記録や書き換えが行われるようになる。
【００２６】
尚、逆に従来通りプリフォーマット領域にＡＬＰＣエリアを設けるようにした場合には、ＡＬＰＣエリアと第１のエリアとの両方のエリアで記録用レーザーのパワーを調整することができる（記録用レーザーのパワーの調整用のエリアとして従来よりも長いエリアが確保される）ようになるので、相変化形光学的記録媒体の記録装置内に記録用レーザーのパワーを高めるための特別なハードウェアを設けなくても、記録用レーザーのパワーを十分に高めることができるようになる。従って、この場合には記録装置の回路構成の簡素化・小型化が実現される。
【発明の効果】
【００２７】
以上のように、本発明に係る光学的記録媒体は、データエリアを有する記録・再生単位である各セクタ毎に、プリピットされたヘッダと、このプリピットされたヘッダの後に設けられるギャップエリアと、このギャップエリアの後に設けられる、長さを可変にした第１のエリアと、この第1のエリアの後に設けられるＶＦＯエリアと、このＶＦＯエリアの後に設けられるデータエリアと、データエリアの後に設けられる、前端位置をこの第１のエリアの長さの変化と対応して変化させた可変の長さを有する第２のエリアとを含めた構造をしているので、この第１のエリアの後端位置と第２のエリアの前端位置とを同じ向きに同じ距離移動させることにより、セクタ内におけるデータエリアを全体として移動させることができる。従って、こうしたデータエリア全体の移動により、繰り返しオーバーライトによる記録特性の劣化を回避することができる。
【００２８】
また、このようにデータエリア全体を移動させることにより繰り返しオーバーライトによる記録特性の劣化を回避するようにした場合には、従来のようにデータエリア内で記録開始位置及び記録終了位置を変化させることにより繰り返しオーバーライトによる記録特性の劣化を回避する場合と比較して、データエリアそのものを大きく設定する必要がない。従って、データエリアの冗長部分を削減することができる。
【００２９】
なお、この第１のエリアが記録用レーザーのパワーの調整用に用いられるようにした場合、プリフォーマット領域であるヘッダへのＡＬＰＣエリアの設置を省略することにより、ヘッダの冗長部分を削減することができる。
【００３０】
また、ギャップエリアを挟んでヘッダよりも後の領域にはもともと繰り返しオーバーライトの特性を改善するためのガードエリアを設けることが必要であるが、第１，第２のエリアをこのガードエリアに兼用することができるので、第１，第２のエリアの存在によってヘッダよりも後の領域が従来よりも冗長になることはない。
【００３１】
このように、データエリア，ヘッダの冗長部分が削減され、且つ、第１，第２のエリアの存在によってヘッダよりも後の領域が冗長になることがないので、セクタ全体の冗長部分の削減を実現することができる。
【００３２】
そして、プリフォーマット領域であるヘッダ内のエリアではなく、ギャップエリアを挟んでヘッダよりも後の領域内においてデータエリアの前方に存在する第１のエリアを記録用レーザーのパワーの調整用に用いるようにした場合には、データエリアへの記録時と同じ条件で（例えばデータエリアと同じくランド及びグルーブから成るエリアで）記録用レーザーのパワーが調整されると共に、調整したそのままのパワーで即座にデータエリアに記録が行われるようになる。これにより、従来よりも一層適切なパワーでデータの記録や書き換えを行うことができるようになる。
【００３３】
あるいは逆に、従来通りプリフォーマット領域にＡＬＰＣエリアを設けるようにした場合には、ＡＬＰＣエリアと第１のエリアとの両方のエリアで記録用レーザーのパワーを調整することができるようになるので、相変化形光学的記録媒体の記録装置内に記録用レーザーのパワーを高めるための特別なハードウェアを設けなくても、記録用レーザーのパワーを十分に高めることができるようになる。従って、この場合には記録装置の回路構成の簡素化・小型化を実現することができる。
【００３４】
次に、本発明に係る光学的記録媒体の記録方法及び記録装置によれば、データエリアを有する記録・再生単位である各セクタ毎に、プリピットされたヘッダと、このプリピットされたヘッダの後に設けられるギャップエリアと、このギャップエリアの後に設けられる、長さを可変にした第１のエリアと、この第１のエリアの後に設けられるＶＦＯエリアと、このＶＦＯエリアの後に設けられるデータエリアと、データエリアの後に設けられる、前端位置を第１のエリアの長さの変化と対応して変化させた可変の長さを有する第２のエリアとを含め、異なる記録時において、第１のエリアの後端位置と第２のエリアの前端位置とを同じ向きに同じ距離移動させることによりセクタ内におけるデータエリアを全体として移動させるようにしている。従って、データエリア内で同一のデータが記録される位置がこれらの異なる記録時において変化するので、繰り返しオーバーライトによる記録特性の劣化を回避することができる。
【００３５】
また、このようにデータエリア全体を移動させることにより繰り返しオーバーライトによる記録特性の劣化を回避するようにしているので、従来のようにデータエリア内で記録開始位置及び記録終了位置を変化させることにより繰り返しオーバーライトによる記録特性の劣化を回避する場合と比較して、データエリアそのものを大きく設定する必要がない。従って、データエリアの冗長部分を削減することができる。
【００３６】
なお、この第１のエリアを記録用レーザーのパワーの調整用に用いるようにした場合、プリフォーマット領域であるヘッダへのＡＬＰＣエリアの設置を省略することにより、ヘッダの冗長部分を削減することができる。
【００３７】
また、ギャップエリアを挟んでヘッダよりも後の領域にはもともと繰り返しオーバーライトの特性を改善するためのガードエリアを設けることが必要であるが、第１，第２のエリアをこのガードエリアに兼用することができるので、第１，第２のエリアの存在によってヘッダよりも後の領域が従来よりも冗長になることはない。
【００３８】
このように、データエリア，ヘッダの冗長部分が削減され、且つ、第１，第２のエリアの存在によってヘッダよりも後の領域が冗長になることがないので、セクタ全体の冗長部分の削減を実現することができる。
【００３９】
そして、プリフォーマット領域であるヘッダ内のエリアではなく、ギャップエリアを挟んでヘッダよりも後の領域内においてデータエリアの前方に存在する第１のエリアを記録用レーザーのパワーの調整用に用いるようにした場合には、データエリアへの記録時と同じ条件で（例えばデータエリアと同じくランド及びグルーブから成るエリアで）記録用レーザーのパワーが調整されると共に、調整したそのままのパワーで即座にデータエリアに記録が行われるようになる。これにより、従来よりも一層適切なパワーでデータの記録や書き換えを行うことができるようになる。
【００４０】
あるいは逆に、従来通りプリフォーマット領域にＡＬＰＣエリアを設けるようにした場合には、ＡＬＰＣエリアと第１のエリアとの両方のエリアで記録用レーザーのパワーを調整することができるようになるので、相変化形光学的記録媒体の記録装置内に記録用レーザーのパワーを高めるための特別なハードウェアを設けなくても、記録用レーザーのパワーを十分に高めることができるようになる。従って、この場合には記録装置の回路構成の簡素化・小型化を実現することができる。
【図面の簡単な説明】
【００４１】
【図１】光ディスクにおけるセクタの配置例を示す図である。
【図２】光ディスクの記録面上でのヘッダ，データ記録領域の外観の一例を示す図である。
【図３】本発明を適用した光ディスクのセクタ構造の一例を示す図である。
【図４】図３のデータエリアにおけるエラー訂正ブロックの構成例を示す図である。
【図５】図３のデータエリアのフレーム構成例を示す図である。
【図６】図３のデータエリアが移動する状態を示す図である。
【発明を実施するための形態】
【００４２】
図１は、本発明を適用したディスク状の相変化形光学的記録媒体（相変化形の光ディスク）におけるセクタの配置例を示す。この光ディスク１の記録面は、ディスクの半径方向に沿ってｎ個（ｎは自然数）のゾーンＺ１〜Ｚｎに分けられている。同一ゾーン内では１トラックあたりのセクタ数が一定になっており、最内周のゾーンＺ１のセクタ数が最少であり、外周のゾーンにいくにつれてセクタ数が１ずつ増え、最外周のゾーンＺｎのセクタ数が最多である。各ゾーンにおけるデータの記録・再生は、光ディスク１を一定の線速度で回転させた状態で、当該ゾーンのセクタ数に応じた周波数のクロック信号に基づいて行われる。
【００４３】
光ディスク１の各セクタには、当該セクタのアドレス等が予め記録されたプリフォーマット領域（ヘッダとも呼ぶことにする）と、データ記録領域とが設けられている。
【００４４】
図２は、光ディスク１の記録面上でのヘッダ，データ記録領域の外観の一例を略示するものである。データ記録領域ＤＥは、ランド及びグルーブから成っている。これに対し、ヘッダには、グルーブのアドレスを示すヘッダＨｅａｄｅｒ１と、ランドのアドレスを示すヘッダＨｅａｄｅｒ２とが存在しており、それらはエンボスピット（記録面から突出したピット）の列から成っている。尚、グルーブ単一周波数（例えば１セクタ当たり４０８周期（１フレーム当たり４周期））でウォブリングされており、このウォブリングがクロック信号の生成及びアドレスの同期のために用いられる。
【００４５】
図３は、光ディスク１のセクタ構造（セクタ・フォーマット）の一例を示す。セクタ長は１２４０３２ｃｈ（チャネルビット）である。（１バイト＝１２チャネルビットで表す。）セクタの先頭にはヘッダＨｅａｄｅｒ１が設けられ、その後方に、タイミング信号の切り換え時間等において使用される６ｃｈのギャップＧａＰ１を挟んで、ヘッダＨｅａｄｅｒ２が設けられている。
【００４６】
ヘッダＨｅａｄｅｒＩ，Ｈｅａｄｅｒ２は、それぞれ１１２０ｃｈを占めている。各ヘッダＨｅａｄｅｒＩ，Ｈｅａｄｅｒ２は、フォーマットの先頭であることを示す７２ｃｈの２セクタマークＳＭと、ＰＬＬロック用の連続データパターンである４６８ｃｈのＶＦＯと、ヘッダ内のデータの読み出し開始位置を示す２８ｃｈのアドレスマークＡＭと、トラックナンバー及びセクタナンバーを表す１０２ｃｈのＩＤと、ＩＤのエラー訂正符号が２バイトで収まらないとき用いられる１６ｃｈのポストアンブルＰＡとで構成されており、ＶＦＯ〜ＰＡはＶＦＯ１，ＡＭ１，ＩＤ１，ＰＡ１，ＶＦＯ２，ＡＭ２，ＩＤ２，ＰＡ２というように２重に形成されている。尚、ヘッダＨｅａｄｅｒ１，Ｈｅａｄｅｒ２には、記録用レーザーのパワーを調整するためのＡＬＰＣエリアは設けられていない。
【００４７】
ヘッダＨｅａｄｅｒ２の後方には、６ｃｈのギャップＧａＰ２と９６ｃｈのＧａＰ３とを挟んで、データ記録領域ＤＥが設けられている。データ記録領域ＤＥには、その前部に（３２０＋ｊ）ｃｈ（ｊは０〜１２７の範囲内で可変設定される整数）のガードエリアＧｕａｒｄ１が設けられている。
【００４８】
データ記録領域ＤＥには、ガードエリアＧｕａｒｄ１に続いて、４６８ｃｈのＶＦＯ３と、データ部内でのユーザーデータの開始位置を示す４２ｃｈのＳＹＮＣと、ユーザーデータ（及びそれに付加した誤り訂正符号）が記録される１１９１６８ｃｈのデータエリアＤＡＴＡと、１２ｃｈのポストアンブルＰＡ３と、（８８０−ｊ）ｃｈのガードエリアＧｕａｒｄ２とが設けられている。
【００４９】
ガードエリアＧｕａｒｄ１，Ｇｕａｒｄ２は、繰り返しオーバーライトの特性を改善するためのエリアであるが、後述のように、ガードエリアＧｕａｒｄ１のほうは記録用レーザーのパワーを調整するためのエリアとしても兼用されるようになっている。尚、ガードエリアＧｕａｒｄ１，Ｇｕａｒｄ２のｃｈ数中のｊの意味については後述する。
【００５０】
データ記録領域ＤＥの後方（セクタの最後尾）には、ディスクの偏心等によるジッタを吸収するための７９４ｃｈのバッファＢＦが設けられている。
【００５１】
図４は、データエリアＤＡＴＡにおけるエラー訂正ブロック（ＥＣＣブロック）の構成例を示す。１７２バイトのユーザーデータに対して２４バイトのパリティを付加した訂正符号が使用されている。記録・再生方向は図の横方向である。１インターリーブ長は３８４バイトである。
【００５２】
１つのエラー訂正ブロックは６４ｋバイトのデータで構成される。従って、６４ｋバイトが、データエリアＤＡＴＡにおけるデータの記録・再生の最小単位となる。但し、このエラー訂正ブロックにより６４ｋバイトを単位としてデータを記録・再生した後、その中から所望の２ｋバイトのデータを記録・再生することにより、１セクタにつき２ｋバイトのデータを記録・再生する（データストレージ用に２ｋデータセクタとして使用する）ことも可能である。
【００５３】
図５は、図３のデータエリアＤＡＴＡのフレーム構成例を示す。図４のエラー訂正ブロックの１インターリーブ長のデータを４等分した９６バイトのデータが、１フレームデータとされる。そして、この１フレームデータを１６等分した６バイト＝７２ｃｈのデータブロック（図５のデータブロック０〜１５のうちの１つずつ）と２ｃｈのｄｃｃビットとで１つのｄｃｃブロックが構成され、１６個のｄｃｃブロックで１フレームが構成されている。従って、１フレームの大きさは１１８４ｃｈである。各フレームの前方には、それぞれ３２ｃｈのフレーム同期信号ｆｒｍｓｙｎｃ及びｄｃｃ（ｄｃコントロール）ビットが存在する。
【００５４】
次に、この光ディスク１に対して繰り返しオーバーライトを行う際の記録方法の一例を説明する。
繰り返しオーバーライト動作における１回目の記録時には、例えば図６Ａに示すように、ガードエリアＧｕａｒｄ１，Ｇｕａｒｄ２の大きさを、それぞれ３２０ｃｈ，８８０ｃｈに設定する（即ちｊ＝０に設定する）。そして、ガードエリアＧｕａｒｄ１で記録用レーザーのパワーを調整し、データエリアＤＡＴＡの前端付近及び後端付近以外の部分に真のユーザーデータを記録する（例えば、先頭及び末尾にそれぞれダミーのデータを含んだユーザーデータをデータエリアＤＡＴＡの前端から後端に亘って記録する）。
【００５５】
次に、繰り返しオーバーライト動作における２回目の記録時には、例えば図６Ｂに示すように、ガードエリアＧｕａｒｄ１，Ｇｕａｒｄ２の大きさをそれぞれ３２８ｃｈ，８７２ｃｈに設定する（即ちｊ＝８に設定する）。（このようにｊの値を増加させても、ガードエリアＧｕａｒｄ１とＧｕａｒｄ２との合計のチャネルビット数はもちろん一定のままである。）これにより、ガードエリアＧｕａｒｄ１の後端位置及びガードエリアＧｕａｒｄ２の前端位置が８ｃｈ分ずつ後方に変化するので、ガードエリアＧｕａｒｄ１とＧｕａｒｄ２との間にあるＶＦＯ３，ＳＹＮＣ，データエリアＤＡＴＡ及びポストアンブルＰＡ３全体が、１回目の記録時よりも８ｃｈ分後方に移動する。
【００５６】
この状態で、ガードエリアＧｕａｒｄ１で記録用レーザーのパワーを調整し、データエリアＤＡＴＡの前端付近及び後端付近以外の部分に真のユーザーデータを記録する。これにより、１回目の記録時と２回目の記録時とで、データエリアＤＡＴＡ内で同一のデータが記録される位置が８ｃｈ分変化することになる。
【００５７】
続く３回目の記録時には、例えば図６Ｃに示すように、ガードエリアＧｕａｒｄ１，Ｇｕａｒｄ２の大きさをそれぞれ３３６ｃｈ，８６４ｃｈに設定する（即ちｊ＝１６に設定する）。これにより、ＶＦＯ３，ＳＹＮＣ，データエリアＤＡＴＡ及びポストアンブルＰＡ３全体が、２回目の記録時よりも８ｃｈ分後方に（従って１回目の記録時よりも１６ｃｈ分後方に）移動する。
【００５８】
この状態で、ガードエリアＧｕａｒｄ１で記録用レーザーのパワーを調整し、データエリアＤＡＴＡの前端付近及び後端付近以外の部分に真のユーザーデータを記録する。これにより、１回目乃至３回目の記録時で、データエリアＤＡＴＡ内で同一のデータが記録される位置が８ｃｈ分ずつ変化することになる。
【００５９】
以下、４回目以降の各記録時にも、ｊの値を８ずつインクリメントすることによりＶＦＯ３，ＳＹＮＣ，データエリアＤＡＴＡ及びポストアンブルＰＡ３全体を８ｃｈ分ずつ後方に移動させた状態で、データエリアＤＡＴＡの前端付近及び後端付近以外の部分に真のユーザーデータを記録する。これにより、繰り返しオーバーライト動作の各記録時毎に、データエリアＤＡＴＡ内で同一のデータが記録される位置が８ｃｈ分ずつ変化することになる。
【００６０】
このように、繰り返しオーバーライト動作の各記録時毎にデータエリアＤＡＴＡ内で同一のデータが記録される位置が変化するので、繰り返しオーバーライトによる記録特性の劣化が回避される。
【００６１】
また、このようにデータエリアＤＡＴＡ全体を移動させることにより繰り返しオーバーライトによる記録特性の劣化を回避するようにしているので、従来のようにデータエリア内で記録開始位置及び記録終了位置を変化させることにより繰り返しオーバーライトによる記録特性の劣化を回避する場合と比較して、データエリアＤＡＴＡそのものが小さく設定されている。従って、データエリアＤＡＴＡでは従来よりも冗長部分が削減されている。
【００６２】
また、ガードエリアＧｕａｒｄ１を記録用レーザーのパワーの調整用に用いるようにしており、ヘッダＨｅａｄｅｒ１，Ｈｅａｄｅｒ２へのＡＬＰＣエリアの設置を省略しているので、ヘッダＨｅａｄｅｒ１，Ｈｅａｄｅｒ２（プリフォーマット領域）では従来よりも冗長部分が削減されている。
【００６３】
また、ガードエリアＧｕａｒｄ１，Ｇｕａｒｄ２はもともと繰り返しオーバーライトの特性を改善するためにデータ記録領域ＤＥに設けることが必要なエリアなので、これらのエリアの存在によってデータ記録領域ＤＥが従来よりも冗長になっていることはない。
【００６４】
このように、データエリアＤＡＴＡ，ヘッダＨｅａｄｅｒ１，Ｈｅａｄｅｒ２の冗長部分が削減され、且つ、ガードエリアＧｕａｒｄ１，Ｇｕａｒｄ２の存在によってデータ記録領域ＤＥが冗長になることがないので、セクタ全体の冗長部分の削減が実現されている。
【００６５】
そして、ヘッダＨｅａｄｅｒ１，Ｈｅａｄｅｒ２内のエリアではなく、データエリアＤＡＴＡと同じデータ記録領域ＤＥ内においてデータエリアＤＡＴＡの前方に存在するガードエリアＧｕａｒｄ１を記録用レーザーのパワーの調整用に用いるようにしているので、データエリアＤＡＴＡへの記録時と同じ条件で（図２に示したようにデータエリアＤＡＴＡと同じくランド及びグルーブから成るエリアで）記録用レーザーのパワーが調整されると共に、調整したそのままのパワーで即座にデータエリアＤＡＴＡに記録が行われるようになる。これにより、従来よりも一層適切なパワーでデータの記録や書き換えが行われるようになる。
【００６６】
尚、以上の例では繰り返しオーバーライトの各記録時毎にガードエリアＧｕａｒｄ１の後端位置及びガードエリアＧｕａｒｄ２の前端位置を８ｃｈ分ずつ変化させているが、こうした記録時毎にこれらの位置を８ｃｈ以外の適宜のビットチャネル数分だけ変化させる（例えばＭ系列（最大長周期系列）発生器から発生する値のビットチャネル数分だけ変化させる）ようにしてもよい。
【００６７】
また、以上の例では繰り返しオーバーライトの各記録時毎にガードエリアＧｕａｒｄ１の後端位置及びガードエリアＧｕａｒｄ２の前端位置を後方に変化させているが、こうした記録時毎にこれらの位置を前方に変化させてもよい。
【００６８】
また、以上の例では繰り返しオーバーライトの各記録時毎（１回記録を行う毎）にガードエリアＧｕａｒｄ１の後端位置及びガードエリアＧｕａｒｄ２の前端位置を変化させているが、記録時毎ではなく適宜の回数記録を行う毎にこれらの位置を変化させてもよい。
【００６９】
また、以上の例ではヘッダＨｅａｄｅｒ１，Ｈｅａｄｅｒ２へのＡＬＰＣエリアの設置を省略しているが、従来通りヘッダＨｅａｄｅｒ１，Ｈｅａｄｅｒ２にＡＬＰＣエリアを設けてもよい。そうした場合には、ＡＬＰＣエリアとガードエリアＧｕａｒｄ１との両方のエリアで記録用レーザーのパワーを調整することができる（記録用レーザーのパワーの調整用のエリアとして従来よりも長いエリアが確保される）ようになるので、相変化形光学的記録媒体の記録装置内に記録用レーザーのパワーを高めるための特別なハードウェアを設けなくても、記録用レーザーのパワーを十分に高めることができるようになる。従って、この場合には記録装置の回路構成の簡素化・小型化が実現される。
【００７０】
また、セクタ内の各エリアのチャネルビット数が図３に示したものに限らず適宜のものであってよいことや、エラー訂正ブロックの構成，データエリアのフレーム構成が図４，図５に示したものに限らず適宜のものであってよいことはもちろんである。
【００７１】
また、以上の例ではディスク状の相変化形光学的記録媒体に本発明を適用しているが、その他の相変化形光学的記録媒体（例えばカード状の相変化形光学的記録媒体）に本発明を適用してもよい。
【００７２】
また、本発明は、以上の例に限らず、本発明の要旨を逸脱することなく、その他様々の構成をとりうることはもちろんである。
【符号の説明】
【００７３】
１…光ディスク、Ｈｅａｄｅｒ１，Ｈｅａｄｅｒ２…ヘッダ、ＤＥ…データ記録領域、Ｇｕａｒｄ１，Ｇｕａｒｄ２…ガードエリア、ＤＡＴＡ データエリア
【図１】
2010108597.tif 000003
【図２】
2010108597.tif 000004
【図３】
2010108597.tif 000005
【図４】
2010108597.tif 000006
【図５】
2010108597.tif 000007
【図６】
2010108597.tif 000008